(57)【要約】      （修正有）【課題】背縫いを廃し製作工程における作業負担を軽減して製作における経済性および生産性を向上させることができるとともに、後身頃（背面）に自由なデザインを施すことができる長着を提供する。【解決手段】長着１００は、身頃１１０を備えている。身頃１１０は、長着１００の前面を構成する前身頃１１１と、同長着１００の背面を構成する後身頃１１２とが連続的に繋がった略長方形状の一枚布で構成されている。後身頃１１２は、長尺の身頃１１０における長手方向の半分の長さで前身頃１１１と連続的に繋がった長方形状に形成されている。これら前身頃１１１および後身頃１１２からなる身頃１１０における身幅は、長着１００の生地をロール状に巻いた反物の全幅から前記縫い代を除いた幅で形成されている。【選択図】図１
0003159043.tif 000002
【実用新案登録請求の範囲】
【請求項１】
長尺の布地をロール状に巻いた反物から前身頃、後身頃および袖を裁断して縫製した長着において、
前記後身頃は、前記反物の全幅を同後身頃における縫い代および身幅として用いた一枚布で構成されていることを特徴とする長着。
【請求項２】
請求項１に記載した長着において、
前記前身頃は、前記後身頃と連続的に繋がるとともに、前記反物の全幅を同前身頃における縫い代および身幅として用いた一枚布で形成されていることを特徴とする長着。
【請求項３】
請求項１または請求項２に記載した長着において、
前記反物の全幅は、３５０ｍｍ〜３８０ｍｍの並幅または３８０ｍｍ〜４５０ｍｍの広幅であることを特徴とする長着。
【請求項４】
請求項１ないし請求項３のうちのいずれか１つに記載した長着において、
前記後身頃は、同後身頃の幅方向における中心部を含む領域に連続的な図柄が形成されていることを特徴とする長着。
【考案の詳細な説明】
【技術分野】
【０００１】
本考案は、長尺の布地をロール状に巻いた反物から前身頃、後身頃および袖を裁断して縫製した長着に関する。
【背景技術】
【０００２】
従来から、身丈が足首付近まである和服として長着が知られている。一般に、長着は、長尺の布地をロール状に巻いた反物から袖、身頃（みごろ）、衽（おくみ）および衿（えり）などをそれぞれ裁断した後、これらを互いに縫い合わせることにより構成されている。
【０００３】
この場合、長着において身体の前面および背面を覆う身頃は、例えば、下記特許文献１に示すように、一般に、身体の右半分の前面から背面を連続的に覆う右身頃と、身体の左半分の前面から背面を連続的に覆う左身頃とを互いの後身頃で縫い合わせる（これを「背縫い」という）ことにより構成されている。
【先行技術文献】
【特許文献】
【０００４】
【特許文献１】特開平０７−７０８０３号公報
【考案の概要】
【０００５】
しかしながら、このような左右一対の身頃からなる長着においては、後身頃に描かれる図柄を右身頃と左身頃との背縫い部分で一致させるために極めて煩雑かつ熟練技術を要する作業工程が必要である。このため、長着の製作における経済性および生産性が極めて低いという問題があった。特に、４歳前後の幼児に着せる長着である所謂三ツ身においては、右身頃および左身頃の肩幅が小さいため一つの反物から廃棄される布地の割合が大人用の長着に比べて多く、長着の製作における経済性および生産性がより低いという問題がある。すなわち、身頃を右身頃と左身頃とで構成する旧来の伝統的な製作方法によれば、身幅の小さい２歳〜４歳までの幼児用の長着の製作は、経済性や生産性の点において著しく不利であった。
【０００６】
また、後身頃に複雑な図柄を配置すると右身頃と左身頃とで図柄を一致させることがより困難となるため、後身頃に描くことができる図柄の種類や形態が実質的に限定されるという問題があった。そして、このような事情から、近年においては、長着の需要や使用が益々敬遠されるという問題があった。
【０００７】
本考案は上記問題に対処するためなされたもので、その目的は、後身頃を一枚の布地で構成することにより、背縫いを廃し製作工程における作業負担を軽減して製作における経済性および生産性を向上させることができるとともに、後身頃（背面）に自由なデザインを施すことができる長着を提供することにある。
【０００８】
上記目的を達成するため、請求項１に係る本考案の特徴は、長尺の布地をロール状に巻いた反物から前身頃、後身頃および袖を裁断して縫製した長着において、後身頃は、反物の全幅を同後身頃における縫い代および身幅として用いた一枚布で構成されていることにある。
【０００９】
このように構成した請求項１に係る本考案の特徴によれば、長着を構成する後身頃は反物の全幅を同後身頃における縫い代および身幅とした一枚布で形成されている。すなわち、長着を構成する後身頃には背縫いが存在しない。このため、背縫い工程が省略できるほか、従来技術における右身頃と左身頃との背縫い部分で図柄一致させるための作業工程のすべてを省略することができる。これにより、長着の製作における経済性および生産性を向上させることができる。また、後身頃が一枚布で形成されているため、後身頃上の図柄の位置あわせを気にすることなく様々な種類および形態の図柄を形成することができ今までにないデザインの長着を製作することができる。
【００１０】
また、請求項２に係る本考案の他の特徴は、前記請求項１長着において、前身頃は、後身頃と連続的に繋がるとともに、反物の全幅を同前身頃における縫い代および身幅として用いた一枚布で形成されていることにある。
【００１１】
このように構成した請求項２に係る本考案の他の特徴によれば、前身頃は、後身頃と連続的に繋がるとともに、反物の全幅を同前身頃における縫い代および身幅として用いた一枚布で形成されている。すなわち、長着を構成する身頃が前身頃と後身頃とが連続的に繋がった一枚布で構成されている。これにより、長着の製作過程において前身頃と後ろ身頃とを縫合する手間を省略することができ、効率的かつ経済的に長着を製作することができる。また、前身頃から後身頃に掛けて連続する図柄を配置することができ、様々な種類および形態の図柄によって今までにないデザインの長着を製作することができる。
【００１２】
また、請求項３に係る本考案の他の特徴は、前記長着において、反物の全幅は、３５０ｍｍ〜３８０ｍｍの並幅または３８０ｍｍ〜４５０ｍｍの広幅であることにある。
【００１３】
このように構成した請求項３に係る本考案の他の特徴によれば、長着の身幅は、反物の全幅である３５０ｍｍ〜３８０ｍｍの並幅または３８０ｍｍ〜４５０ｍｍの広幅で形成される。すなわち、従来、経済性や生産性の点において不利であった身幅の小さい２歳〜４歳までの幼児用の長着を既製の反物を用いて経済性および生産性良く製作することができる。
【００１４】
また、請求項４に係る本考案の他の特徴は、前記長着において、後身頃は、同後身頃の幅方向における中心部を含む領域に連続的な図柄が形成されていることにある。
【００１５】
このように構成した請求項４に係る本考案の他の特徴によれば、後身頃は、幅方向における中心部を含む領域に連続的な図柄が形成されている。これにより、従来にない大胆かつ斬新なデザインの長着を製作することができる。
【図面の簡単な説明】
【００１６】
【図１】本考案の一実施形態に係る長着の全体構成を概略的に示した背面図である。
【図２】図１に示す長着を構成する身頃（みごろ）を反物から裁断する割付状態を示す平面図である。
【図３】図１に示す長着を構成する左右の袖（そで）を反物からそれぞれ裁断する割付状態を示す平面図である。
【図４】図１に示す長着を構成する左右の衽（おくみ）および衿（えり）を反物からそれぞれ裁断する割付状態を示す平面図である。
【考案を実施するための形態】
【００１７】
以下、本考案に係る長着の一実施形態について図面を参照しながら説明する。図１は、本考案に係る長着１００の全体構成を同長着１００を広げた状態で示す背面図である。なお、本明細書において参照する各図は、本考案の理解を容易にするために一部の構成要素を誇張して表わすなど模式的に表している。このため、各構成要素間の寸法や比率などは異なっていることがある。この長着１００は、赤子ないし４歳前後の幼児を対象とした晴れ着であり、従来における産着と三ツ身とを兼用可能としたものである。
【００１８】
（長着１００の構成）
長着１００は、身頃１１０を備えている。身頃１１０は、長着１００の前面および背面を構成する部分であり、図２に示すように、長着１００の前面を構成する前身頃１１１と、同長着１００の背面を構成する後身頃１１２とが連続的に繋がった略長方形状の一枚布で構成されている。これらのうち前身頃１１１は、長着１００を着る着用者の胸部、腹部および脚部前面を覆う部分であり、長尺の身頃１１０における長手方向の半分の長さで長方形状に形成されている。この前身頃１１１は、身頃１１０の長手方向に沿って２つに裁断された左右一対の左前身頃１１１ａおよび右前身頃１１１ｂによって構成されている。
【００１９】
後身頃１１２は、長着１００を着る着用者の背部、腰部および脚部後面を覆う部分であり、長尺の身頃１１０における長手方向の半分の長さで前身頃１１１と連続的に繋がった長方形状に形成されている。これらの前身頃１１１および後身頃１１２には、各幅方向両端部に設けられた縫い代１１３より内側に、着用者が長着１００を着た際に正しい向きとなるように図柄Ｇ（図２においては破線で示す）がそれぞれ形成されている。
【００２０】
これら前身頃１１１および後身頃１１２からなる身頃１１０における身幅は、長着１００の生地をロール状に巻いた反物１０１の全幅から前記縫い代１１３を除いた幅で形成されている。すなわち、身頃１１０は、反物１０１の略全幅を身幅として用いて形成されている。また、身頃１１０の身丈は、長着１００の着用者の身長に対応する長さで形成されている。本実施形態においては、身頃１１０の身幅が約４３４ｍｍ、縫い代１１３の幅が片側約１.５ｍｍ、身丈が約１２２０ｍｍで形成されている。なお、図２において、身頃１１０における縫合線を二点鎖線で示す。
【００２１】
身頃１１０における図示上部左右両側には、左袖１２１および右袖１２２がそれぞれ設けられている。左袖１２１および右袖１２２は、図３に示すように、着用者の左右の腕をそれぞれ通すための部分であり、それぞれ一枚布を図示破線部で折り曲げた後対向する縁部同士を縫合することにより筒状に形成して構成されている。この左袖１２１および右袖１２２における各袖幅は、反物１０１の全幅から縫い代１２３を除いた幅で形成されている。すなわち、左袖１２１および右袖１２２は、反物１０１の略全幅を袖幅として用いてそれぞれ形成されている。また、左袖１２１および右袖１２２における各前面および背面には、前記と同様の図柄Ｇ（図３においては破線で示す）がそれぞれ形成されている。なお、図３において、左袖１２１および右袖１２２における縫合線を二点鎖線で示す。
【００２２】
身頃１１０における左前身頃１１１ａおよび右前身頃１１１ｂの各端部には、それぞれ左衽１３１および右衽１３２がそれぞれ設けられている。左衽１３１および右衽１３２は、図４に示すように、着用者の胸部、腹部および脚部前面を互いに重ね合わせられた状態で覆う部分であり、身頃１１０における左前身頃１１１ａおよび右前身頃１１１ｂの長手方向に沿った長尺の略長方形状に形成されている。この左衽１３１および右衽１３２における各衽幅は、反物１０１の半幅から縫い代１３３を除いた幅で形成されている。また、左衽１３１および右衽１３２における各前面および背面には、前記と同様の図柄Ｇ（図４においては破線で示す）がそれぞれ形成されている。なお、図４において、左衽１３１および右衽１３２における縫合線を二点鎖線で示す。
【００２３】
身頃１１０における左前身頃１１１ａおよび右前身頃１１１ｂの図示上部には、それぞれ掛衿（かけえり）１４０が設けられている。掛衿１４０は、図４に示すように、長着１００の着用者の首周りを覆う部分であり、長尺の略長方形状に形成されている。また、左衽１３１および右衽１３２の各端部には、それぞれ本衿（ほんえり）１５０が設けられている。本衿１５０は、図４に示すように、長着１００の着用者の胸部、腹部および脚部前面を互いに重ね合わせられた状態で覆う部分であり、左衽１３１および右衽１３２の長手方向に沿った長尺の略長方形状に形成されている。なお、図４において、掛衿１４０および本衿１５０における各縫合線を二点鎖線で示す。
【００２４】
（長着１００の製造過程）
次に、上記のように構成した長着１００の製造過程について説明する。なお、以下に説明する各作業工程は、一連の作業工程をすべて一人の作業者が行なうものではなく、各作業工程毎に専門の作業者が行なうことを想定している。また、本考案の特徴に直接関わらない作業工程は適宜省略する。
【００２５】
この長着１００の製造工程は、主として、反物１０１の染色工程と染色された反物１０１の縫製工程とに大別することができる。これらのうち、反物１０１の染色工程は、無地の反物１０１に対して図柄Ｇを染め上げる工程である。具体的には、作業者は、反物１０１から引き出した無地の布地に対して身頃１１０、左袖１２１、右袖１２２、左衽１３１、右衽１３２、掛衿１４０および本衿１５０をそれぞれ墨によって割り付ける（検尺・墨打ち工程）。この場合、作業者は、身頃１１０の幅（身幅および縫い代１１３の幅）を反物１０１の全幅に対応して割り付けることができるため、反物１０１上に効率よく身頃１１０を割り付けることができる。なお、本実施形態においては、反物１０１は、上記したように全幅が約４３４ｍｍの所謂広幅の反物を使用している。
【００２６】
次に、作業者は、反物１０１上に割り付けた身頃１１０、左袖１２１、右袖１２２、左衽１３１、右衽１３２、掛衿１４０および本衿１５０を裁断して長着１００の形に仮縫いする（下絵羽工程）。この場合、作業者は、図２に示すように、身頃１１０における破線部部分にて折り返すことにより所謂肩山１１０ａを形成して前身頃１１１と後身頃１１２と互いに対向させる。この仮縫い作業は、長着１００を縫製した際に図柄Ｇが縫い目でずれないようにするために、この後の染め工程を長着１００に仮縫いした状態で行なうためである。この仮縫い作業においては、身頃１１０における後身頃１１２の全体が一枚の布地で構成されているため、仮縫い作業の作業負担を軽減することができる。
【００２７】
次に、作業者は、仮縫いした反物１０１に対して図柄Ｇを染める（染め工程）。この図柄Ｇの染め作業は、反物１０１に対して予め創案した図柄Ｇを下書きする工程、防染のための図柄Ｇの輪郭や同図柄Ｇが描かれる地の部分に糊を置く工程、図柄Ｇや同図柄Ｇが描かれる地の部分に色を置く工程、および染めた色を反物１０１に定着させる蒸し工程などによって構成されている。この図柄Ｇの染め作業においては、身頃１１０における後身頃１１２の全体が一枚の布地で構成されているため、後身頃１１２上の図柄Ｇの位置あわせを気にすることなく様々な種類および形態の図柄を自由に形成することができる。この場合、図柄Ｇを前身頃１１１から後身頃１１２に掛けて肩山１１０ａを介して描くこともできる。そして、この図柄Ｇの染め作業においては、前記下書き工程にて仮縫いされた反物１０１が解かれて各構成部分ごとに染色される。
【００２８】
次に、作業者は、染め上げた反物１０１を清水にて水洗いする（水元工程）。これにより、反物１０１に付着した下書きに用いた青花や糊が取り除かれる。この水洗い工程においても、身頃１１０の全体が一枚の布地で構成されているため、水洗い作業の作業負担を軽減することができる。次に、作業者は、水洗いした反物１０１に蒸気を当てて寸法通り形に成形した後（湯のし工程）、乾燥させる（乾燥工程）。この場合においても、身頃１１０の全体が一枚の布地で構成されているため、各工程の作業の作業負担を軽減することができる。
【００２９】
そして、作業者は、乾燥させた反物１０１に対して金箔、銀箔および刺繍を施す仕上げ工程を行う。この仕上げ作業においても、身頃１１０における後身頃１１２の全体が一枚の布地で構成されているため、後身頃１１２上の図柄の位置あわせを気にすることなく様々な種類および形態の図柄を形成することができる。これにより、反物１０１の染色工程が終了する。
【００３０】
次に、作業者は、反物１０１の縫製工程を行なう。この反物１０１の縫製工程は、前記染色した反物１０１、すなわち、身頃１１０、左袖１２１、右袖１２２、左衽１３１、右衽１３２、掛衿１４０および本衿１５０を互いに縫合することにより長着１００の形に縫製する。この縫製工程においても、身頃１１０における後身頃１１２の全体が一枚の布地で構成されているため、後身頃１１２上の図柄の位置あわせを気にすることなく各構成部分を縫製することができ、縫製作業の作業負担を軽減することができる。そして、これにより、図１に示すような、身頃１１０の身幅が約４３４ｍｍ、身丈が約１２２０ｍｍの長着１００が完成する。すなわち、身頃１１０における後身頃１１２上に従来にない大胆かつ斬新なデザインを施した長着１００が完成する。
【００３１】
そして、上記のように製作された長着１００は、赤子から４歳前後の幼児までの期間において晴れ着として使用される。この場合、従来、赤子から４歳前後の幼児までの期間における晴れ着としては産着および三ツ身の２つの晴れ着を必要としたが、本考案に係る長着１００によれば赤子から４歳前後の幼児までの期間を通して一つの晴れ着で賄うことができ経済的であるとともに好みの晴れ着を長く使用することができる。また、着用者が成長して長着１００が着用者の体型に合わなくなった場合には、長着１００の縫製を解いて長着１００を構成する各構成部分、具体的には、身頃１１０、左袖１２１、右袖１２２、左衽１３１、右衽１３２、掛衿１４０および本衿１５０を分離して他の衣服として再利用することができる。この場合、身頃１１０は、一枚布で構成されているため、和服以外の衣服、すなわち、Ｔシャツなどの洋服における前面および背面に一枚布のままで使用することができる。
【００３２】
上記製造過程説明からも理解できるように、上記実施形態によれば、長着１００を構成する後身頃１１２は反物１０１の全幅を同後身頃１１２における縫い代１１３を含む身幅とした一枚布で形成されている。すなわち、長着１００を構成する後身頃１１２には背縫いが存在しない。このため、背縫い工程が省略できるほか、従来技術における右身頃と左身頃との背縫い部分で図柄一致させるための作業工程のすべてを省略することができる。これにより、長着１００の製作における経済性および生産性を向上させることができる。また、後身頃１１２が一枚布で形成されているため、後身頃１１２上の図柄の位置あわせを気にすることなく様々な種類および形態の図柄を形成することができ今までにないデザインの長着１００を製作することができる。
【００３３】
さらに、本考案の実施にあたっては、上記実施形態に限定されるものではなく、本考案の目的を逸脱しない限りにおいて種々の変更が可能である。
【００３４】
例えば、上記実施形態においては、身頃１１０は、前身頃１１１と後身頃１１２とを連続した一枚布で構成した。これにより、身頃１１０の染色作業および縫製作業の各作業負担の軽減を図っている。しかし、身頃１１０は、少なくとも後身頃１１２が一枚布で構成されていればよく、例えば、前身頃１１１と後身頃１１２とをそれぞれ独立した一枚の反物で構成するとともに、これらを互いに縫合することにより構成するようにしてもよい。これによっても、後身頃１１２は、一枚の布地で構成されているため、後身頃１１２を一枚布で構成したことによる上記作用効果を期待できる。
【００３５】
また、上記実施形態においては、全幅が約４３７ｍｍの反物１０１を用いて、身頃１１０の身幅が約４３４ｍｍ、身丈が約１２２０ｍｍの長着１００を製作した。しかし、長着１００における身頃１１０の身幅および身丈の各寸法は、着用者の身体の大きさに応じて適宜決定されるものであり、上記実施形態に限定されるものではない。ただし、この場合、長着１００は、身頃１１０の身幅が反物１０１の全幅に対応して製作、すなわち、後身頃１１０における身幅が反物１０１の全幅から縫い代１１３を除いた幅で形成される。これにより、身頃１１０の後身頃１１２に背縫いが存在しなくなるため、背縫い工程が省略できるほか、従来技術における右身頃と左身頃との背縫い部分で図柄一致させるための作業工程のすべてを省略することができる。そして、身頃１１０の身幅寸法を決定する反物は、全幅が従来から広く一般的に用いられている３５０ｍｍ〜３８０ｍｍの並幅または３８０ｍｍ〜４５０ｍｍの広幅のものが好適である。
【００３６】
また、上記実施形態においては、身頃１１０における後身頃１１２に同身頃１１２の幅方向の中心部を含む略全域に連続的な図柄Ｇを形成した。しかし、身頃１１０における後身頃１１２に形成する図柄Ｇや、長着１００におけるその他の各構成部分に形成する図柄Ｇは着用者の好みに応じた任意の図柄を形成すればよく、上記実施形態に限定されるものではないことは当然である。この場合、例えば、身頃１１０における後身頃１１２から左袖１２１および右袖１２２に亘って連続した図柄Ｇを配置する所謂絵羽模様の長着１００を製作する場合においても後身頃１１２が一枚布で構成されているため、従来にない大胆で複雑な図柄Ｇを配置した長着１００を経済的かつ効率的に製作することができる。
【符号の説明】
【００３７】
Ｇ…図柄、１００…長着、１０１…反物、１１０…身頃、１１０ａ…肩山、１１１…前身頃、１１１ａ…左前身頃、１１１ｂ…右前身頃、１１２…後身頃、１１３，１２３，１３３…縫い代、１２１…左袖、１２２…右袖、１３１…左衽、１３２…右衽、掛衿…１４０、本衿…１５０。
【図１】
0003159043.tif 000003
【図２】
0003159043.tif 000004
【図３】
0003159043.tif 000005
【図４】
0003159043.tif 000006